(57)【要約】【課題】  廃棄物を減らしながら、内部の模型パーツを衝撃から守り、カプセル自動販売機での販売を可能とさせることができる模型パーツ供給組立体を提供する。【解決手段】模型パーツ供給組立体１１は、互いに離間して積層される複数のパーツ供給層１３と、積層された複数のパーツ供給層１３の積層方向の両端部に、複数のパーツ供給層を挟むように配置される二つの緩衝層１５とを備える。各パーツ供給層１３は、環状の外枠ランナー１７と、外枠ランナー１７の内側に枝状ランナー１９を介して接続されている少なくとも一つパーツ２１とを有し、積層方向に隣り合うパーツ供給層１３の外枠ランナー１７の間が積層方向に延びる複数の連結ランナー２３によって接続され、緩衝層１５が積層方向の両端部に位置するパーツ供給層１３のパーツ２１を覆うようにパーツ供給層１３の外枠ランナー１７に取り付けられる。【選択図】図１
2020014811.tif 000002
【特許請求の範囲】
【請求項１】
組立模型を組み立てるための複数のパーツを供給する模型パーツ供給組立体であって、
互いに離間して積層される複数のパーツ供給層と、
積層された前記複数のパーツ供給層の積層方向の両端部に、前記複数のパーツ供給層を挟むように配置される二つの緩衝層と、
を備え、各パーツ供給層が、環状の外枠ランナーと、該外枠ランナーの内側に枝状ランナーを介して接続されている少なくとも一つパーツとを有し、積層方向に隣り合う前記パーツ供給層の前記外枠ランナーの間が積層方向に延びる複数の連結ランナーによって接続され、前記緩衝層が積層方向の両端部に位置する前記パーツ供給層の前記複数のパーツを覆うように該パーツ供給層の前記外枠ランナーに取り付けられることを特徴とする模型パーツ供給組立体。
【請求項２】
前記複数の連結ランナーの各々の一端部が隣り合う二つの前記パーツ供給層のうちの一方の前記外枠ランナーと一体的に接続されており、他端部が隣り合う二つの前記パーツ供給層のうちの他方の前記外枠ランナーと着脱自在に接続されている、請求項１に記載の模型パーツ供給組立体。
【請求項３】
前記連結ランナーの前記他端部と前記外枠ランナーとは、前記連結ランナーに設けられた凸部と前記外枠ランナーに設けられた凹部との嵌合によって着脱自在に接続されている、請求項２に記載の模型パーツ供給組立体。
【請求項４】
前記緩衝層が積層方向の両端部に位置する前記パーツ供給層の前記外枠ランナーに着脱自在に取り付けられている、請求項１から請求項３の何れか一項に記載の模型パーツ供給組立体。
【請求項５】
前記緩衝層が、積層方向に延びる複数の脚状フレームを含んで構成されている、請求項１から請求項４の何れか一項に記載の模型パーツ供給組立体。
【請求項６】
前記外枠ランナーが、円形状、楕円形状、多角形状からなる群から選択される形状を有する、請求項１から請求項５の何れか一項に記載の模型パーツ供給組立体。
【請求項７】
前記模型パーツ供給組立体が、球形状又は卵形状を有している、請求項１から請求項５に記載の模型パーツ供給組立体。
【請求項８】
前記緩衝層が、ノード部から放射状に前記パーツ供給層へ向かって湾曲して延びる複数の脚状フレームによって構成されている、請求項７に記載の模型パーツ供給組立体。
【発明の詳細な説明】
【技術分野】
【０００１】
本発明は、組立模型を組み立てるための複数のパーツを供給する模型パーツ供給組立体に関する。
【背景技術】
【０００２】
従来、例えば特許文献１に記載のようなカプセル型の容器に人形や模型などを封入したカプセルトイを収容器内に収容し、コインを挿入してハンドルを回転させることにより、カプセルトイを排出して販売するカプセル自動販売装置が知られている。このようなカプセルトイには、組立模型を組み立てるための複数のパーツをランナーに接続された状態でカプセル内に封入し、開封後にランナーからパーツを切り離して組み立て、模型を完成させるようにしたものもある。
【先行技術文献】
【特許文献】
【０００３】
【特許文献１】特開２０１３−２２７０６４号公報
【発明の概要】
【発明が解決しようとする課題】
【０００４】
上述したような組立模型のカプセルトイでは、模型を組み立てるのに必要なパーツはカプセル内に入っており、模型の完成にはカプセルが不要であることから、廃棄されることとなり、省資源上の問題がある。
【０００５】
本発明の目的は、上記従来技術に存する問題を解消して、廃棄物を減らしながら、内部の模型パーツを衝撃から守り、カプセル自動販売機での販売を可能とさせることができる模型パーツ供給組立体を提供することにある。
【課題を解決するための手段】
【０００６】
上記目的に鑑み、本発明は、組立模型を組み立てるための複数のパーツを供給する模型パーツ供給組立体であって、互いに離間して積層される複数のパーツ供給層と、積層された前記複数のパーツ供給層の積層方向の両端部に、前記複数のパーツ供給層を挟むように配置される二つの緩衝層とを備え、各パーツ供給層が、環状の外枠ランナーと、該外枠ランナーの内側に枝状ランナーを介して接続されている少なくとも一つパーツとを有し、積層方向に隣り合う前記パーツ供給層の前記外枠ランナーの間が積層方向に延びる複数の連結ランナーによって接続され、前記緩衝層が積層方向の両端部に位置する前記パーツ供給層の前記パーツを覆うように該パーツ供給層の前記外枠ランナーに取り付けられるようにした模型パーツ供給組立体を提供する。
【０００７】
上記模型パーツ供給組立体では、各パーツ供給層の環状の外枠ランナーに枝状ランナーを介してパーツが接続、支持されており、積層された複数のパーツ供給層の外枠ランナー同士を互いに離間した状態で積層方向に延びる複数の連結ランナーによって接続すると共に、積層された複数のパーツ供給層の積層方向の両端部のパーツ供給層を挟むように二つの緩衝層を取り付けている。これにより、カプセルを用いなくても、環状の外枠ランナーと積層方向に延びる複数の連結ランナーと緩衝層とが外殻を形成して、パーツへ接近する際の障壁となり、他の模型パーツ供給組立体やカプセルなどの外部物体が外枠ランナー内に支持されたパーツに衝突して衝撃を与えることを抑制することが可能となる。また、各パーツは外枠ランナーに枝状ランナーを介して支持された状態となっていると共に、隣り合うパーツ供給層の外枠ランナーも複数の連結ランナーによって離間して配置されているので、模型パーツ供給組立体の各パーツが輸送中などに他のパーツ、外枠ランナーに衝突して損傷することも防ぐことができる。さらに、カプセルの代わりとなる外殻が、複数の連結ランナーによって離間して支持される外枠ランナーと緩衝層とによって形成されており、積層される複数のパーツ供給層の外枠ランナーの間には隙間が形成されるので、その分、パーツ以外に使用する材料を低減させることが可能となる。
【０００８】
上記模型パーツ供給組立体では、前記複数の連結ランナーの各々の一端部が隣り合う二つの前記パーツ供給層のうちの一方の前記外枠ランナーと一体的に接続されており、他端部が隣り合う二つの前記パーツ供給層のうちの他方の前記外枠ランナーと着脱自在に接続されていることが好ましい。これにより、パーツ供給層を構成する構成部品数を抑えつつ、各パーツ供給層を分離することが可能となり、各パーツ供給層に支持されるパーツを外枠ランナー及び枝状ランナーから切り離すことが容易となる。
【０００９】
この場合、前記連結ランナーの前記他端部と前記外枠ランナーとは、例えば、前記連結ランナーに設けられた凸部と前記外枠ランナーに設けられた凹部との嵌合によって着脱自在に接続されているようにすればよい。
【００１０】
また、上記模型パーツ供給組立体では、前記緩衝層が積層方向の両端部に位置する前記パーツ供給層の前記外枠ランナーに着脱自在に取り付けられていることが好ましい。これにより、積層方向の両端部のパーツ供給層において、外枠ランナー及び枝状ランナーからのパーツの切り離しが容易となる。
【００１１】
さらに、前記緩衝層が、積層方向に延びる複数の脚状フレームを含んで構成されているようにすることが好ましい。これにより、緩衝層をパーツから離間して配置させることが可能になると共に、緩衝層に使用する材料も低減させることができる。
【００１２】
上記模型パーツ供給組立体では、例えば、前記外枠ランナーが、円形状、楕円形状、多角形状からなる群から選択される形状を有するようにすることができる。
【００１３】
一つの実施形態として、前記模型パーツ供給組立体が、球形状又は卵形状を有していてもよい。この場合、前記緩衝層が、ノード部から放射状に前記パーツ供給層へ向かって湾曲して延びる複数の脚状フレームによって構成されているようにすることができる。
【発明の効果】
【００１４】
本発明の模型パーツ供給組立体によれば、環状の外枠ランナーと積層方向に延びる複数の連結ランナーと緩衝層とが外殻を形成するので、カプセルを用いなくても、他の模型パーツ供給組立体やカプセルなどの外部物体が外枠ランナー内に支持されたパーツに衝突して衝撃を与えることを抑制することが可能となり、カプセル自動販売機での販売が可能となる。また、各パーツはパーツ供給層の外枠ランナーに支持されており且つ隣り合うパーツ供給層の外枠ランナーも複数の連結ランナーによって離間して配置されるので、各パーツが輸送中などに他のパーツや外枠ランナーに衝突して損傷することを抑制することができる。さらに、複数の連結ランナーによって離間して支持される外枠ランナーと緩衝層とによって外殻が形成されているので、カプセルが不要となり、カプセルと比較して使用する材料を削減することができ、廃棄物の量を低減させることが可能となる。
【図面の簡単な説明】
【００１５】
【図１】本発明による模型パーツ供給組立体の斜視図である。
【図２】図１に示されている模型パーツ供給組立体の複数のパーツ供給層と、緩衝層とを分離した状態で示している組立分解図である。
【図３】図１に示されている模型パーツ供給組立体の各パーツ供給層から切り離したパーツによって組み立てた完成模型を示す斜視図である。
【発明を実施するための形態】
【００１６】
以下、図面を参照して、本発明による模型パーツ供給組立体の実施の形態を説明する。
【００１７】
最初に、図１及び図２を参照して、本発明による模型パーツ供給組立体１１の全体構成を説明する。模型パーツ供給組立体１１は、組立模型を組み立てる際に使用されるパーツを供給するために使用される。
【００１８】
模型パーツ供給組立体１１は、互いに離間して積層される複数のパーツ供給層１３と、積層された複数のパーツ供給層１３を積層方向に挟むように配置される二つの緩衝層１５とを備える。図示されている実施形態では、模型パーツ供給組立体１１は全体として球体形状を有しており、四つのパーツ供給層１３を備えている。
【００１９】
各パーツ供給層１３は、ドーナツ形状を有した環状の外枠ランナー１７と、外枠ランナー１７に複数の枝状ランナー１９を介して接続されている少なくとも一つのパーツ２１とを有している。図示されている実施形態では、外枠ランナー１７は円環形状を有しているが、外枠ランナー１７の形状は環状であれば限定されるものではなく、外枠ランナー１７は、例えば四角形状や五角形状など多角形環形状や楕円環形状であってもよい。各枝状ランナー１９は、外枠ランナー１７の内周側から外枠ランナー１７の内方に向かって延びて、外枠ランナー１７の内側に配置されるパーツ２１に接続されており、パーツ２１が複数の枝状ランナー１９によって外枠ランナー１７の内側に支持されるようになっている。各パーツ供給層１３の外枠ランナー１７によって支持されるパーツ２１は一つに限定されるものではなく、図１や図２に示されているように、一つの外枠ランナー１７によって複数のパーツ２１が支持されるようにしてもよく、一つのパーツ２１が複数の外枠ランナー１７によって支持されるようにしてもよい。一つの外枠ランナー１７内に複数のパーツ２１を支持する場合、外枠ランナー１７から直接的に延びる枝状ランナー１９ａがパーツ２１に接続されるようにしてもよく、外枠ランナー１７から直接的に延びる枝状ランナー１９ａに接続された一つのパーツ２１から延びる枝状ランナー１９ｂが他のパーツ２１に接続されるようにしてもよい。また、外枠ランナー１７から直接的に延びる枝状ランナー１９ａと外枠ランナー１７から直接延びる枝状ランナー１９ａに接続された他のパーツ２１から延びる枝状ランナー１９ｂとが一つのパーツ２１に接続されるようにしてもよい。
【００２０】
積層される複数のパーツ供給層１３は、隣り合って配置される二つのパーツ供給層１３の外枠ランナー１７同士の間を積層方向に延びる複数の棒状の連結ランナー２３によって接続され、離間した状態で互いを支持するようになっている。図示されている実施形態の模型パーツ供給組立体１１のように全体として球体形状を有する場合には、連結ランナー２３は、球面に沿うような円弧状に湾曲して延びるように形成されていることが好ましい。しかしながら、直線状に延びていてもよく、他の形状を有していてもよい。
【００２１】
図示されている実施形態では、連結ランナー２３は、一方の端部が隣り合うパーツ供給層１３のうちの一方の外枠ランナー１７と一体的になるように接続されており、他方の端部が隣り合うパーツ供給層１３のうちの他方の外枠ランナー１７と着脱可能に接続されている。このように連結ランナー２３を外枠ランナー１７と一体的となるように形成することにより、構成部品数を減らすことができ、組み立てや作製の手間を減らすことが可能となる。連結ランナー２３と外枠ランナー１７とは、例えば、連結ランナー２３の他端部（外枠ランナー１７と一体的に接続された端部と反対側の端部）に形成した凸部２３ａと外枠ランナー１７に設けられた凹部１７ａとを嵌合させることによって、着脱可能に接続される。しかしながら、連結ランナー２３と外枠ランナー１７との着脱可能な接続は上述の形態に限定されるものではなく、連結ランナー２３の他端部に凹部を形成すると共に外枠ランナー１７に凸部を形成し、こうして形成された凹部と凸部を嵌合させることにより接続するなど、他の方式を採用することも可能である。また、連結ランナー２３の両端部を着脱可能に外枠ランナー１７に接続するようにしてもよい。
【００２２】
また、積層される複数のパーツ供給層１３を連結する複数の連結ランナー２３の位置は、積層方向に整列されるようにしてもよく、一つのパーツ供給層１３を挟んだ両側の連結ランナー２３が千鳥配置になるようにしてもよい。
【００２３】
積層される複数のパーツ供給層１３のうち積層方向の両端部に配置されるパーツ供給層１３は、外部に露出された状態となるので、そこに接続されるパーツ２１に外部物体が接触し得る状態となる。緩衝層１５は、積層方向の両端部に配置されるパーツ供給層１３のパーツ２１を覆うようにパーツ供給層１３に取り付けられ、積層方向の両端部に配置されるパーツ供給層１３のパーツ２１に外部物体が衝突して衝撃を与えることを防止する機能を果たす。図示されている実施形態では、緩衝層１５は、一つのノード部２５から放射状にパーツ供給層１３へ向かって延びる複数の脚状フレーム２７によって構成されており、全体として、ドーム形状をなすようになっている。図示されている実施形態では、ノード部２５から延びる四本の脚状フレーム２７によって緩衝層１５が構成されているが、２本、３本又は５本以上の脚状フレーム２７によって緩衝層１５が構成されるようにしてもよい。また、各脚状フレーム２７の端部は積層方向端部に配置されるパーツ供給層１３の外枠ランナー１７に着脱可能に接続されるようになっている。脚状フレーム２７と外枠ランナー１７との接続方法は特に限定されるものではないが、脚状フレーム２７と外枠ランナー１７とは、例えば、脚状フレーム２７の端部に形成された凸部２７ａと外枠ランナー１７に形成された凹部１７ｂとの嵌合により着脱可能に接続されることができる。脚状フレーム２７の端部に凹部を形成し、外枠ランナー１７に凸部を形成するようにしてもよいことはもちろんである。
【００２４】
緩衝層１５は、積層方向両端部に配置されるパーツ供給層１３のパーツ２１に外部物体が衝突して衝撃を与えることを防止する機能を果たすものであればよく、緩衝層１５の形状及び構造は図示されている実施形態のものに限定されるものではない。例えば、図示されている実施形態では、四本の脚状フレーム２７がドーム状に延びるように形成されているが、緩衝層１５がパーツ供給層１３のパーツ２１から離間して配置されるようになっていれば、他の形状としてもよい。例えば、緩衝層１５は、平板又は網板から垂直に複数の脚状フレーム２７がパーツ供給層１３の外枠ランナー１７へ向かって向かって延び、各脚状フレーム２７が外枠ランナー１７に着脱可能に接続されるような構成を有してもよく、平板の周端縁部から垂直にパーツ供給層１３の外枠ランナー１７へ向かって環状のスカート部が延び、スカート部が外枠ランナー１７に着脱可能に接続されるような構成を有してもよい。この場合、平板や網板の形状は、パーツ供給層１３の粗を枠ランナー１７の形状に合わせて選択することが好ましい。
【００２５】
緩衝層１５の脚状フレーム２７も、連結ランナー２３と同様に、緩衝層１５が取り付けられるパーツ供給層１３の外枠ランナー１７から延びる連結ランナー２３と積層方向に整列するように配置されてもよく、千鳥配置とされてもよい。
【００２６】
パーツ供給層１３や連結ランナー２３は、樹脂材料から形成されていることが好ましく、例えば、射出成形によって作製される。射出成形によってパーツ供給層１３及び連結ランナー２３を作製する場合、外枠ランナー１７、枝状ランナー１９及び連結ランナー２３は、本来、射出成形の際に、金型内においてパーツ２１を成形すべき箇所へ向かって溶融樹脂材料が流れる通り道に形成される部分として成形され、成形後にはパーツ２１を支持する機能を果たす。すなわち、外枠ランナー１７、枝状ランナー１９及び連結ランナー２３は、組立模型を構成するパーツを成形する際に不可欠なものである。したがって、外枠ランナー１７、枝状ランナー１９及び連結ランナー２３によってパーツ２１を取り囲んで他の物体との衝突による衝撃から各パーツ２１を保護する外殻を形成すれば、カプセルが不要となり、その分の材料の無駄をなくし、模型の組み立て後の廃棄物の量も削減することができる。また、複数の外枠ランナー１７は離間して配置され、その間を連結ランナー２３によって接続する構成となっているので、カプセルと比較しても、外枠ランナー１７と連結ランナー２３とによって囲まれる窓部の分だけ材料の無駄をさらに少なくすることができ、模型の組み立て後の廃棄物の量の低減にもつながる。なお、枝状ランナー１９とパーツ２１との接続部分には、枝状ランナー１９よりも細く絞られたゲート２９が形成されていることが好ましい。ゲート部２９は、射出成形において、溶融樹脂の注入量を調節する機能を果たすと共に、枝状ランナー１９からのパーツ２１の切り離しを容易にする効果も奏する。
【００２７】
さらに、積層されるパーツ供給層１３を挟むように取り付けられる緩衝層１５を図示される実施形態のように複数の脚状フレーム２７によって構成すれば、脚状フレーム２７も他の物体との衝突による衝撃から各パーツ２１を保護する外殻の一部として機能しつつ、隣り合う脚状フレーム２７の間に形成される窓部の分だけ材料の無駄を更に少なくすることが可能となり、模型の組み立て後の廃棄物の量のさらなる低減につながる。
【００２８】
以下、上述のような構成の模型パーツ供給組立体１１の作製方法及び使用方法について説明する。
【００２９】
最初に、各パーツ供給層１３と緩衝層１５とをそれぞれ個別に射出成形などにより作製する。各パーツ供給層１３においては、外枠ランナー１７と、外枠ランナー１７に枝状ランナー１９を介して接続支持されたパーツ２１とが一体的に形成され、必要に応じて、連結ランナー２３も一体的に形成される。また、緩衝層１５も複数のノード部２５から延びる脚状フレーム２７が一体的に形成される。次に、模型パーツ供給組立体１１によって供給すべきパーツ２１を含んだ複数のパーツ供給層１３を積層し、例えば隣り合うパーツ供給層１３の一方に形成された複数の連結ランナー２３の凸部２３ａを他方のパーツ供給層１３の外枠ランナー１７に形成された複数の凹部１７ａに嵌合することによって、複数のパーツ供給層１３を互いに連結する。さらに、積層されたパーツ供給層１３を挟むように二つの緩衝層１５を配置し、例えば各緩衝層１５の複数の脚状フレーム２７の端部に形成された凸部２７ａを積層方向の両端部に配置されるパーツ供給層１３の外枠ランナー１７に形成された複数の凹部１７ｂに嵌合することによって、積層されたパーツ供給層１３に緩衝層１５を取り付ける。このようにして、各パーツ供給層１３の外枠ランナー１７及び連結ランナー２３と緩衝層１５の脚状フレーム２７とによって外殻を構成してその内部にパーツ２１を収容した模型パーツ供給組立体１１が組み立てられる。なお、必要に応じて、このように組み立てられた模型パーツ供給組立体１１をさらにフィルムなどで覆うようにしてもよい。
【００３０】
模型パーツ供給組立体１１では、各パーツ供給層１３の外枠ランナー１７及び連結ランナー２３と緩衝層１５の脚状フレーム２７とによって外殻が構成されている。図示されている実施形態では、模型パーツ供給体１１が全体として球形状に形成されるので、カプセルを用いることなく、カプセル自動販売機に収容して販売することが可能となる。また、カプセルを使用しなくても、輸送中やカプセル自動販売機内において、外部物体がパーツ２１に衝突して衝撃を与えることを防止することができるので、パーツ２１の破損を抑制することができる。さらに、模型パーツ供給体１１では、カプセルを用いておらず、パーツ２１の成形に必要となる外枠ランナー１７や連結ランナー２３などを用いて外殻を形成しているので、カプセルの分又は隣り合うパーツ供給層１３の外枠ランナー１７と連結ランナー２３とによって形成される窓部の分だけ、使用する材料の量を低減させることができ、模型の組み立て後の廃棄物の量も低減され、省資源の効果が得られる。加えて、緩衝層１５も脚状フレーム２７などで構成すれば、同様に使用する材料の量を低減させることができ、模型の組み立て後の廃棄物の量も低減され、さらなる省資源の効果が得られる。
【００３１】
また、積層するパーツ供給層１３を増加させることによって、組立模型を構成するパーツの数の増減に容易に対応することが可能となる。
【００３２】
使用においては、図２に示されているように、模型パーツ組立体１１から緩衝層１５を取り外すと共に、積層されたパーツ供給層１３を個別に分解し、各パーツ供給層１３の外枠ランナー１７及び連結ランナー２３からパーツ２１を切り離して組み立て、図３に示されているように組立模型３１を完成させる。
【００３３】
以上、図示されている実施形態を参照して、本発明による模型パーツ供給組立体を説明したが、本発明は図示されている実施形態に限定されるものではない。例えば、上記実施形態の説明では、模型パーツ供給組立体１１をカプセル自動販売機に収容することものとして説明しているが、模型パーツ供給組立体１１は、カプセル自動販売機内に収容する用途に限定されるものではなく、この状態で陳列するような用途にも適用可能である。この場合、埃がパーツ２１に付着することを防止するために、模型パーツ供給組立体１１を被覆層で覆ってもよい。外枠ランナー１７、連結ランナー２３及び緩衝層によって外殻が形成されるので、被覆層に強度は要求されず、被覆層としてプラスチックフィルムなどを利用できる。したがって、カプセルと比較して、依然として大幅に樹脂材料の使用量を低減させることが可能となる。また、紙の箱にパーツを封入している場合と比較して、ランナーが直接容器の役割を果たすので、省スペースの効果も奏する。
【符号の説明】
【００３４】
１１    模型パーツ供給組立体
１３    パーツ供給層
１５    緩衝層
１７    外枠ランナー
１７ａ    凹部
１７ｂ    凹部
１９    枝状ランナー
２１    パーツ
２３    連結ランナー
２３ａ    凸部
２５    ノード部
２７    脚状フレーム
２７ａ    凸部
３１    組立模型
【図１】
2020014811.tif 000003
【図２】
2020014811.tif 000004
【図３】
2020014811.tif 000005